(57)【要約】【課題】  ガスバーナの燃焼熱気を循環ファンにより調理室内に循環して、調理室内に収納した被調理物を加熱するものにおいて、熱効率の向上を目的とするものである。【解決手段】  被調理物を収納して加熱する調理室に、循環ファンによりガスバーナの燃焼熱気を循環して被加熱物を加熱するものにおいて、循環ファンやガスバーナの燃焼を制御して、調理室内を設定温度に加熱する制御手段を設けると共に、この制御手段を、ガスバーナの燃焼時には循環ファンを所定の設定回転数で制御し、ガスバーナの消火時には設定温度に応じて循環ファンの回転数を設定する様に構成して成るものである。【選択図】        図１
2007085684.tif 000002
【特許請求の範囲】
【請求項１】
被調理物を収納して加熱する調理室に、循環ファンによりガスバーナの燃焼熱気を循環して被加熱物を加熱するものにおいて、上記循環ファンやガスバーナの燃焼を制御して、上記調理室内を設定温度に加熱する制御手段を設けると共に、この制御手段を、上記ガスバーナの燃焼時には循環ファンを所定の設定回転数で制御し、ガスバーナの消火時には設定温度に応じて循環ファンの回転数を設定する様に構成した事を特徴とするガスオーブン。
【請求項２】
上記制御手段を、上記設定温度がイースト発酵温度に設定された時には、ガスバーナの点滅に連動して循環ファンをオン・オフ制御し、同じく設定温度が約２３０℃以上の高温に設定された時には、ガスバーナの点滅に関係なく循環ファンを設定回転数で回転制御する様に構成した事を特徴とする、上記請求項１に記載のガスオーブン。
【請求項３】
上記制御手段を、設定温度が約１００℃〜２２０℃の中温に設定された時には、上記循環ファンの回転数が設定回転数で回転時の風量の約２０％と成る様に循環ファンを周期的にオン・オフ制御する様に構成した事を特徴とする、上記請求項１〜２に記載のガスオーブン。
【発明の詳細な説明】
【技術分野】
【０００１】
本発明は、被調理物を収納して加熱する調理室内に、循環ファンによりガスバーナの燃焼熱気を循環して調理室内を設定温度に加熱するガスオーブンに関する。
【背景技術】
【０００２】
調理室内にガスバーナの燃焼熱気を循環して加熱するガスオーブンでは、調理室内が設定温度に達する迄ガスバーナを燃焼し、設定温度に到達するとガスバーナを消火しているが、ガスバーナの燃焼熱気を調理室内に循環させる循環ファンは連続して回転させているため、ガスバーナの消火時にも調理室内の熱気が室外に排気され、エネルギー効率を低下させるという問題がある。
【０００３】
そこで、例えば特許文献１や特許文献２で示される様に、ガスバーナの燃焼量や点滅に応じてファンの回転を制御することで、加熱むらの防止や、熱損失の低減を図ったものがある。
【特許文献１】特公昭５８−５８５７０号公報
【特許文献２】特開昭５９−１１５９１９号公報
【発明の開示】
【発明が解決しようとする課題】
【０００４】
一方、上記特許文献１に示されるガスオーブンでは、ガスバーナの燃焼量を庫内温度の温度変化に応じて増減すると同時に、このガスバーナの燃焼量に比例してファンの回転数を制御している為、ガスバーナやファンの回転制御が複雑になると共に、これらの比例制御に用いる比例弁や回路構成が複雑となり、コストアップを招くという問題がある。
【０００５】
そこで本発明は、比較的簡単な構成にて循環ファンの回転を制御することで、ガスバーナのガス消費量を低減して熱効率を向上する事を目的とする。
【課題を解決するための手段】
【０００６】
本発明の請求項１の構成は、被調理物を収納して加熱する調理室に、循環ファンによりガスバーナの燃焼熱気を循環して被加熱物を加熱するものにおいて、循環ファンやガスバーナの燃焼を制御して、調理室内を設定温度に加熱する制御手段を設けると共に、この制御手段を、ガスバーナの燃焼時には循環ファンを所定の設定回転数で制御し、ガスバーナの消火時には設定温度に応じて循環ファンの回転数を設定する様に構成して成るものである。
【０００７】
本発明の請求項２の構成は、請求項１の構成において、制御手段を、設定温度がイースト発酵温度に設定された時には、ガスバーナの点滅に連動して循環ファンをオン・オフ制御し、同じく設定温度が約２３０℃以上の高温に設定された時には、ガスバーナの点滅に関係なく循環ファンを設定回転数で回転制御する様に構成して成るものである。
【０００８】
本発明の請求項３の構成は、請求項１〜２の構成において、制御手段を、設定温度が約１００℃〜２２０℃の中温に設定された時には、循環ファンの回転数が設定回転数で回転時の風量の約２０％と成る様に循環ファンを周期的にオン・オフ制御する様に構成して成るものである。
【発明の効果】
【０００９】
本発明の請求項１に記載の構成により、ガスバーナの燃焼時には循環ファンを所定の設定回転数で制御し、ガスバーナの消火時には設定温度に応じて設定した回転数で制御することで、ガスバーナの消火時には必要以上に調理室内の熱気を外部に排気することがなく、比較的簡単な構成にて熱効率を向上させる事が出来るものである。
【００１０】
本発明の請求項２に記載の構成により、イースト発酵時にはガスバーナの点滅に連動して循環ファンをオン・オフ制御し、かつ設定温度が高温に設定時にはガスバーナの点滅に関係なく循環ファンを設定回転数で回転させることで、イースト発酵時のパン生地等の被調理物の乾燥を防止すると共に、高温設定時の各部品の温度上昇による損傷や耐久性能の低下を防止する事が出来るものである。
【００１１】
本発明の請求項３に記載の構成により、設定温度が中温に設定された場合には、ガスバーナが消火すると循環ファンの回転数が設定回転時の約２０％の風量に成る様に制御することで、従来の様にガスバーナの消火時にも循環ファンを設定回転数で回転する場合に比較し、調理室内の熱気の無駄な排気を防止して熱効率を向上できると共に、循環ファンをガスバーナの燃焼量に比例して制御する場合に比較して、循環ファンを制御する制御回路を簡素化し、回路部分のコストアップを防止する事が出来るものである。
【発明を実施するための最良の形態】
【００１２】
本発明の実施例を先ず図１に基づき説明すると、１は調理器本体で、前面を開口２し、この開口より被調理物を出し入れして収納して加熱する調理室３を区画形成している。
【００１３】
又、上記調理室３の奥部にはガスバーナ４を収納した燃焼室５と、循環ファン６を収納した送風室７を区画形成し、循環ファン６の回転によって、ガスバーナ４の燃焼により発生した燃焼熱気を調理室３内に循環してこの調理室内を加熱する様に構成している。
【００１４】
上記送風室７の後方には、上記循環ファン６を回転するファンモータ８を設置していると共に、上記開口２は、縦開き式の扉９にて開閉自在に閉塞している。
【００１５】
そして、上記調理室３の上方には高周波加熱用のマグネトロン１０を配置し、かつ調理室３内の底部には被調理物を載せて回転するターンテーブル１１を配置し、調理室３の底板１２の下方には、ターンテーブル１１を回転駆動するギヤードモータ１３を装着している。
【００１６】
図２は制御手段を構成する制御回路２０の実施例を示すもので、商用の交流電源２１に電源回路２２を接続していると共に、この電源回路の出力にマイクロコンピュータ２３を接続している。
【００１７】
又、上記マイクロコンピュータ２３の出力ポートには、調理時間や調理メニュー等を表示する表示器２４を駆動する表示回路２５と、ブザー２６を作動するブザー回路２７と、上記ファンモータ８を駆動するモータ駆動回路２８と、上記ガスバーナ４への燃料供給を制御する電磁弁２９を駆動する電磁弁駆動回路３０と、上記ガスバーナ４の点火用の点火器３１を作動する点火器駆動回路３２と、上記マグネトロン１０の作動を制御するマグネトロン駆動回路３３とを接続し、同じく入力ポートには、扉９の開閉を検出するドア開閉検出回路３４の出力と、図示しない調理条件等を入力する操作部に配置した各操作キーの入力を検出するキー入力回路３５の出力と、上記調理室の熱気の一部を排気する排気筒１４内に配置した温度センサ３６にて調理室３内の温度を検出する庫内温度検出回路３７の出力と、ガスバーナ４の点火を検出する炎検出回路３８の出力とを接続している。
【００１８】
而して、上記マイクロコンピュータ２３は、図示しない操作部から入力された調理条件をキー入力回路３５の出力から検出し、オーブン調理が開始された場合には、電磁弁駆動回路３０を介して電磁弁２９を開いてガスバーナ４にガスを供給すると同時に、点火器駆動回路３２を介して点火器３１を作動し、ガスバーナ４を燃焼すると共に、モータ駆動回路２８を介してファンモータ８を所定の設定回転数で作動し、循環ファン６を回転してガスバーナ４の燃焼により発生した熱気を調理室３内に循環し、この調理室内に収納された被調理物を加熱し、かつ調理室３内の温度を、温度センサ３６及び庫内温度検出回路３７を介して検出し、この検出温度に応じてガスバーナ４の燃焼と循環ファン６の回転を制御する。
【００１９】
一方上記マイクロコンピュータ２３は、上記オーブン調理時の調理メニューがイースト発酵に設定された場合には、調理開始後、調理室３内の温度が設定温度（例えば３５℃）に到達すると、電磁弁２９を閉じてガスバーナ４の燃焼を停止すると共に、循環ファン６の回転も停止する。
【００２０】
これにより、パン生地等の被調理物表面の乾燥を防ぎ、調理物の仕上がりを良好にすると共に、循環ファン６の回転による調理室３内の熱気の排気を防止し、ガスバーナ４のガス消費量を低減して熱効率の向上を図る事が出来るものである。
【００２１】
又上記マイクロコンピュータ２３は、同じくオーブン調理時に設定温度が例えば２３０℃以上の高温に設定された場合には、調理を開始して調理室３内が設定温度に到達するとガスバーナ４を消火して燃焼を停止し、一方循環ファン６は所定の設定回転数で継続して回転する。
【００２２】
これにより、調理室３内が設定温度に上昇してガスバーナ４を消火しても、循環ファン６を所定の設定回転数で回転させることで、循環ファン６により調理室３内や燃焼室５内の熱気の一部を排気筒１４より外部に排気し、これらを構成する室壁や、この室壁の周囲に配置された部品の温度上昇を防止し、温度上昇による故障や劣化、耐久性能の低下を防止する事が出来るものである。
【００２３】
更に上記マイクロコンピュータ２３は、同じくオーブン調理時に設定温度が例えば１００℃〜２２０℃の中温に設定された場合には、ガスバーナ４を点火すると共に循環ファン６を設定回転数で回転して調理を開始した後、調理室３内が上記設定温度に到達すると、ガスバーナ４を消火すると共に循環ファン６を設定回転数で回転時の風量の約２０％の回転数で回転制御し、ガスバーナ４の消火により調理室３内の温度が設定温度より１〜２℃低下すると、再びガスバーナ４を点火して燃焼すると共に循環ファン６を設定回転数で回転し、以降この動作を調理時間の間繰り返して調理を行なう。
【００２４】
これらの構成により、設定温度が中温に設定された場合には、ガスバーナ４が燃焼時には循環ファン６を設定回転数で回転し、ガスバーナ４の消火時には循環ファン６を設定回転時の約２０％の風量で回転させることで、ガスバーナ４の消火時には循環ファン６の回転数を下げて排気筒１４から外部に排出される排気量を低減することで、熱気の無駄な排気による調理室３内温度の低下を防ぎ、これによりガスバーナ４のガス消費量を削減して熱効率を向上する事が出来るものである。
【００２５】
尚、上記循環ファン６の回転数を低下させる場合は、例えば１５秒間回転させた後１５秒間停止させる周期を繰り返すことで、回路部品を追加することなく、比較的安価な構成にて循環ファン６の回転制御を行なうことが出来るが、上記ファンモータ８の通電をオン・オフするリレーに替えて半導体素子を用い、所謂デューティー制御によりファンモータ８の回転数を下げて連続回転させても良い。
【００２６】
更に、上記実施例では、設定温度が中温に設定された場合には、ガスバーナ４の消火時には循環ファン６を約２０％の風量で回転制御する様に構成しているが、設定温度を複数段階に分割し、この段階毎に循環ファン６の回転数を制御する様に構成しても良く、これにより、高温に近い温度に設定時の各部品の温度上昇を防止する事が出来る。
【００２７】
又、上記実施例では、調理器本体１にガスバーナ４の燃焼熱気とマグネトロン１０による高周波加熱とを組み合わせた複合調理器を用いているが、ガスバーナ４のみ用いたガスオーブンでも良い。
【図面の簡単な説明】
【００２８】
【図１】本発明による実施例を示す側面縦断面図である。
【図２】同じく制御回路のブロック図である。
【符号の説明】
【００２９】
３    調理室
４    ガスバーナ
６    循環ファン
２０  制御回路（制御手段）
【図１】
2007085684.tif 000003
【図２】
2007085684.tif 000004